(57)【特許請求の範囲】
【請求項１】
部材に設けられている部品取付穴に部品を取付ける場合に、該部品取付穴周縁および内側の一部または全部を保護する保護具であって、該部品取付穴内側に挿入され該部品取付穴内側の一部または全部を保護する穴内側保護部と、該部品取付穴周縁外側の一部または全部を被覆保護する周縁保護部とを一体的に形成し、上記保護具の穴内側保護部には、該部品に内側から接続されているハーネスに対して穴内側を保護するためのシートが貼着延長されていることを特徴とする保護具。
【請求項２】
上記保護具はＡＳＴＭ  Ｄ７８５に準拠するロックウェル硬度Ｒ５０〜１５０である合成樹脂を材料とする請求項１に記載の保護具。
【発明の詳細な説明】
［技術分野］
［０００１］
本発明は例えば自動車のバンパー等の部材に、ランプハウジング等の部品を取付ける際、該バンパーのランプハウジング取付穴の周縁や内側を保護して傷付きを防止する保護具に関するものである。
［背景技術］
［０００２］
例えば自動車のバンパーにランプハウジングを取付ける場合には、バンパーのランプハウジング取付け部に取付穴を設け、該取付穴に該ランプハウジングを嵌め込み固定する。
［発明の開示］
［発明が解決しようとする課題］
［０００３］
この際、作業員がランプハウジング取付け作業を慎重に行なわないと、上記取付穴の周縁や内側にランプハウジングが当たって傷がつくと云う問題点がある。
しかし作業に慎重を期することは、作業効率を悪化させ、作業を遅延せしめる大きな原因となる。
［課題を解決するための手段］
［０００４］
本発明は、上記課題を解決するための手段として、部材１に設けられている部品取付穴２に部品１２を取付ける場合に、該部品取付穴２周縁および内側の一部または全部を保護する保護具であって、該部品取付穴２内側に挿入され該部品取付穴２内側の一部または全部を保護する穴内側保護部９と、該部品取付穴２周縁外側の一部または全部を被覆保護する周縁保護部１０とを一体的に形成し、上記保護具８の穴内側保護部９には、該部品１２に内側から接続されているハーネス１８に対して穴２内側を保護するためのシート１１が貼着延長されている保護具８を提供するものである。
上記保護具８はＡＳＴＭ  Ｄ７８５に準拠するロックウェル硬度Ｒ５０〜１５０である合成樹脂を材料とすることが望ましい。
【発明の効果】
【０００５】
〔作用〕
上記保護具８の穴内側保護部９を部品取付穴２の内側に挿入し、該保護具８の周縁保護部１０を該取付穴２周縁の一部または全部の外側に密着被覆せしめる。
このようにして該保護具８を該取付穴２に取付けた後、該取付穴２に部品１２を嵌着する。該取付穴２に該部品１２を取付けた後、該保護具８の周縁保護部１０を引張って、該部品１２を該取付穴２に嵌着したまゝ、該保護具８を該取付穴２から引き出す。
上記保護具８の材料をＡＳＴＭ  Ｄ７８５に準拠するロックウェル硬度がＲ５０〜１５０である合成樹脂を材料とすれば、上記保護具８の成形形状が良好に保持され、かつ、該保護具８を該取付穴２から引き出す時、該保護具８が変形し易く引き出し易い。
該部品１２の内側からハーネス１８が接続されている場合、上記保護具８の穴内側保護部９に該部品１２に内側から接続されているハーネス１８に対して穴内側を保護するためのシート１１が貼着延長されていると、該シート１１によって該ハーネス１８が該取付穴２の内側に直接当たることが防止される。
【０００６】
〔効果〕
本発明では、部材の取付穴に部品を取付ける場合、部品による該取付穴２周縁および内側の損傷が確実に防止される。
【発明を実施するための最良の形態】
【０００７】
【実施例１】
【０００８】
実施例１を図１〜図１１に示す。
図１に示す自動車のバンパー１には両側にランプハウジング取付穴２、中央部にナンバープレート取付部３等が設けられており、該ランプハウジング取付穴２には、図２に示すように底板４が取付けられ、補強リブ５等が設けられており、該底板４の中央側端段部６にはハーネス導通孔７が設けられている。
図３、図４には本発明の保護具８が示されている。該保護具８は該バンパー１の取付穴２の内側に挿入される穴内側保護部９と、該穴内側保護部９外端にフランジ状に一体的に形成されている周縁保護部１０とからなる。更に該保護具８の穴内側保護部９の内側には該取付穴２の内側をランプハウジングに接続されているハーネスから保護するためのシート１１，１１が貼着されている。
【０００９】
該保護具８は例えばＡＳＴＭ  Ｄ７８５に準拠するロックウェル硬度がＲ５０〜１５０の範囲の硬度の熱可塑性合成樹脂を材料とすることが望ましい。硬度がＲ５０に満たない場合には成形形状が良好に保持されず、Ｒ１５０を越えると変形しにくゝ、後記するように該保護具８をランプハウジング１２を取付けたまゝ該取付穴２から引き出すことが困難になる。
【００１０】
上記熱可塑性樹脂合成樹脂としては、例えば高密度ポリエチレン（Ｒ＝５０）、ポリプロピレン（ホモポリマー）（Ｒ＝８０〜１０２）、ポリプロピレン（コポリマー）（Ｒ＝６５〜９６）、ＡＢＳ（Ｒ＝８５〜１０６）、ポリアミド６（Ｒ＝１１９）、ポリアミド６６（Ｒ＝１２０）、ポリアミド４６（Ｒ＝１２２）、ポリアミドＰＡ９Ｔ（Ｒ＝１１８）、ポリエチレンテレフタレート（Ｒ＝１１１）、スチレン変性ＰＰＥ（Ｒ＝１１５〜１１６）、ＡＥＳ（Ｒ＝１０２〜１０９）、ＡＡＳ（Ｒ＝９６〜１０８）、ＡＣＳ（Ｒ＝１００〜１０７）等であるが、耐熱性、成形性、強度、変形性等の点からみて、ＰＰＥ−ポリアミド６−スチレン系エラストマーのポリマーアロイが望ましい。
【００１１】
上記熱可塑性樹脂合成樹脂には例えば、炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、ケイ藻土、ドロマイト、石膏、タルク、クレー、アスベスト、マイカ、ガラス繊維、カーボン繊維、ケイ酸カルシウム、ベンナイト、ホワイトカーボン、カーボンブラック、鉄粉、アルミニウム粉、石粉、高炉スラグ、フライアッシュ、セメント、ジルコニア粉等の無機充填材、木綿、麻、竹繊維、ヤシ繊維、羊毛、絹等の天然繊維、ポリアミド繊維、ポリエステル繊維、アクリル繊維、ビスコース繊維、アセテート繊維、塩化ビニル繊維、塩化ビニリデン繊維、ビニロン繊維、アセテート繊維等の有機合成繊維、アスベスト繊維、ガラス繊維、炭素繊維、セラミック繊維、金属繊維、ウィスカー等の無機繊維、リンター、リネン、サイザル、木粉、ヤシ粉、クルミ粉、でん粉、小麦粉等の有機充填材等を添加してもよい。
また更に顔料や染料、酸化防止剤、帯電防止剤、結晶化促進剤、難燃剤、防炎剤、防虫剤、防腐剤、ワックス類、滑剤、老化防止剤、紫外線吸収剤等を添加してもよい。これらの成分は一種または二種以上相互に混合して添加せられてもよい。
【００１２】
本発明の保護具８は、例えば真空成形、圧空成形、真空圧空成形、プレス成形、スタンピング成形、射出成形等によって製造される。
【００１３】
該シート１１，１１は例えばポリエチレン、ポリプロピレン、ポリアミド、ポリエステル、ポリウレタン等の柔軟な合成樹脂や不織布、繊維編織物等を材料とする。
【００１４】
図５には部品であるランプハウジング１２が示される。該ランプハウジング１２内にはランプ１３，１４，１５，１６，１７が内蔵されており、各ランプ１３，１４，１５，１６，１７に電気を供給するハーネス１８が接続されている。
【００１５】
上記ランプハウジング１２を上記バンパー１の取付穴２に取付けるには、まず図７、図８に示すように、該取付穴２に保護具８を取付ける。図７、図８に示すように保護具８を該取付穴２に取付けた状態では、該保護具８の穴内側保護部９は該取付穴２に挿入状態で該穴内周を被覆保護し、該保護具８の周縁保護部１０は該取付穴２の周縁外側に密着保護する。更に該保護具８のシート１１，１１は、該取付穴２において、ハーネス１８が挿通される部分の内側を被覆する。
【００１６】
このようにして該保護具８を該バンパー１の取付穴２に取付けておいて、図９、図１０に示すように、該ランプハウジング１２をその上から該取付穴２に嵌着する。この際、該取付穴２の内側、周縁等が該ランプハウジング１２やハーネス１８、あるいは作業員の手や工具等によって傷付くことは、該保護具８によって保護される。
【００１７】
該ランプハウジング１２を該保護具８を介して取付穴２に嵌着した後、図１１に示すように該保護具８を該取付穴２から引抜く。この際硬さＲ５０〜１５０の熱可塑性樹脂合成樹脂からなる該保護具８は変形して容易に引抜くことが出来る。
【実施例２】
【００１８】
実施例２を図１２〜図１９に示す。
図１２に示す自動車のバンパー２１には空気取入れ穴２２が設けられており、該空気取入れ穴２２には図１３に示すようなグリル２３が別体として嵌着される。
【００１９】
該バンパー２１の空気取入れ穴２２の上縁中央部と左右側縁から下縁にかけてフランジ２４Ａ，２４Ｂが設けられており、該フランジ２４Ａ，２４Ｂにはそれぞれ複数個の取付穴２５Ａ，２５Ｂが設けられている。
【００２０】
上記グリル２３を該バンパー２１の空気取入れ穴２２に嵌着する際、該空気取入れ穴２２の周縁および内側を保護するために図１５および図１６に示すような保護具２７が使用される。該保護具２７は成形を容易に行なうために左半部２８と右半部２９とに二分されており、該左半部２８と右半部２９はそれぞれ内側保護部３０，３１と周縁保護部３２，３３とからなり、左半部２８と右半部２９の穴内側保護部３０，３１には補強リブ３４，３５の複数個が突設されている。左半部２８と右半部２９の周縁保護部３２，３３の左右側部から下部にかけてはそれぞれ補強リブ３６，３７が突設されており、該補強リブ３６，３７の所定個所には把手３８，３９，４０，４１が突出し形成されている。
【００２１】
上記保護具２７によって該バンパー２１の空気取入れ穴２２の左右側縁と下縁とを保護する場合には、図１７に示すように該空気取入れ穴２２の左側縁から下縁左半部にかけて該左半部２８を取付け、該空気取入れ穴２２の右側縁から下縁右半部にかけて該右半部２９を取付けるが、この際、該左半部２８の右端部を該右半部２９の左端部の下側に重ね、該重ね部分において該左半部２８の補強リブ３６を該右半部２９の補強リブ３７の下側に嵌着して位置決めする。なお、該左半部２８と該右半部２９とはあらかじめテープによって連結しておいてもよい。
【００２２】
このようにして該保護具２７の左半部２８と右半部２９とをバンパー２１の空気取入れ穴２２の左右側縁から下縁にかけて取付けてから、必要に応じて該左半部２８と該右半部２９の穴内側保護部３０，３１を粘着テープ４２によって該空気取入れ穴２２周縁に固定する。
【００２３】
このようにして該バンパー２１の空気取入れ穴２２を保護具２７によって保護した上で、該グリル２３の左右側縁および下縁の所定位置（バンパー２１の空気取入れ穴２２のフランジ２４Ａ，２４Ｂの複数個の取付穴２５Ａ，２５Ｂに対応する位置）に突設されている複数個のクリップ２６Ａ，２６Ｂ（図１４参照）を該バンパー２１の空気取入れ穴２２の取付穴２５Ａ，２５Ｂにそれぞれ係合することによって、該グリル２３を該空気取入れ穴２２の外側から嵌着する。
【００２４】
該空気取入れ穴２２に該グリル２３を嵌着した後、該保護具２７の右半部２９と左半部２８とを図１９に示すように該空気取入れ穴２２から引抜く。
【００２５】
該保護具２７は実施例１の保護具８と同様な材料からなり、したがって該保護具２７は変形して容易に引抜くことが出来る。
【００２６】
本発明は、上記実施例以外、例えば自動車車体にランプを取付けたり、ドアハンドルを取付けたりする場合にも適用される。
【産業上の利用可能性】
【００２７】
本発明は部材の取付穴に部品を取付ける際、該取付穴が傷付くのを保護具によって保護されているから、作業効率が向上する。
【図面の簡単な説明】
【００２８】
図１〜図１１は本発明の実施例１を示すものである。
【図１】バンパー片側正面図
【図２】図１におけるＡ−Ａ断面図
【図３】保護具正面図
【図４】図３におけるＢ−Ｂ断面図
【図５】ランプハウジング正面図
【図６】ランプハウジング側面図
【図７】保護具を取付穴に取付けた状態のバンパー片側正面図
【図８】図７におけるＣ−Ｃ断面図
【図９】ランプハウジングを取付けた状態のバンパー片側正面図
【図１０】図９におけるＤ−Ｄ断面図
【図１１】保護具引抜き説明図（ランプハウジング取付け完了図）図１２〜図１９は本発明の実施例２を示すものである。
【図１２】バンパー平面図
【図１３】グリル平面図
【図１４】グリル側断面図
【図１５】保護具平面図
【図１６】保護具側断面図
【図１７】保護具を取付けたバンパーの側断面図
【図１８】グリルを取付けたバンパーの側断面図
【図１９】保護具を引抜いた状態のバンパーの側断面図
【符号の説明】
【００２９】
１        バンパー（部材）
２        （部品）取付穴
８        保護具
９        穴内側保護部
１０      周縁保護部
１１      シート
１２      ランプハウジング（部品）
１８      ハーネス
【図１】
0004393551.tif 000002
【図２】
0004393551.tif 000003
【図３】
0004393551.tif 000004
【図４】
0004393551.tif 000005
【図５】
0004393551.tif 000006
【図６】
0004393551.tif 000007
【図７】
0004393551.tif 000008
【図８】
0004393551.tif 000009
【図９】
0004393551.tif 000010
【図１０】
0004393551.tif 000011
【図１１】
0004393551.tif 000012
【図１２】
0004393551.tif 000013
【図１３】
0004393551.tif 000014
【図１４】
0004393551.tif 000015
【図１５】
0004393551.tif 000016
【図１６】
0004393551.tif 000017
【図１７】
0004393551.tif 000018
【図１８】
0004393551.tif 000019
【図１９】
0004393551.tif 000020